(57)【特許請求の範囲】
【請求項１】
ループ構造で前後に開口した背フレームと、前記背フレームに取り付けたネット状背シートとを備えており、
前記背フレームは、その左右側部を構成する上下長手のサイドメンバーと上端部を構成する左右横長のアッパーメンバーと下端部を構成する左右横長のロアメンバーとの４つのメンバーから成っており、これら４つのメンバーのうち左右サイドメンバーとアッパーメンバーとは一体に繋がって略コ字状の一体連続部になっており、前記ロアメンバーは前記一体連続部とは別体で前記サイドメンバーの下端部間に位置している一方、
前記背シートの外周部には、前記サイドメンバーが挿通される左右サイド筒部とアッパーメンバーが挿通されるアッパー筒部とロアメンバーが挿通されるロア筒部との４つの筒部が連続した状態に形成されており、前記ロア筒部に、前記背フレームを挿通するための取り付け穴が空いている構成であり、
更に、前記ロアメンバーの左右両端に、前記サイドメンバーの下端面に重なるストッパー突起を設け、前記左右ストッパー突起を左右のサイドメンバーに固定している、
椅子の背もたれ。
【請求項２】
前記左右サイドの下端面には、前記ストッパー突起が嵌まり込むストッパー凹所が形成されており、前記ストッパー突起がビスでストッパー凹所に固定されている、
請求項１に記載した椅子の背もたれ。
【請求項３】
座と、請求項１又は２に記載した背もたれと、前記背もたれのロアメンバーに背シートのロア筒部を介して下方から重なる略水平姿勢の受けフレームとを備えており、前記ロアメンバーには受けフレームに嵌合する下向き開口の横長溝が形成されており、受けフレームで背シートのロア筒部を前記横長溝に押し込むことにより、背シートに上下方向のテンションが掛けられている、
椅子。
【発明の詳細な説明】
【技術分野】
【０００１】
本願発明は椅子及びその背もたれに関するものであり、より詳しくは、フレームにネット状シートを張った構造の背もたれ、並びにネット状構造の背もたれを有する椅子に関するものである。
【背景技術】
【０００２】
椅子において、背もたれや座を環状等のサポートフレームにネット状のサポートシートが張られた構造にすることは広く行われている。このタイプでは、シェル板にクッションを張った方式に比べて通気性やフィット性に優れている利点がある。
【０００３】
サポートシートをサポートフレームに取り付ける方法としては、溶着により固定する方法、押さえ部材で押さえ固定する方法、サポートシートの全体を袋状に形成してこれをサポートフレームに被せる方法、といった方法が提案されかつ実施されているが、溶着や押さえ固定は取り付けが簡単にはできない問題があり、他方、全体を袋状に形成する方法はコストが嵩む問題がある。この点については、サポートシートの外周を筒部に形成して、この筒部にサポートフレームを挿通したら良いと考えられる。しかし、サポートフレームがループ状（環状）になっている場合は、挿通方法を工夫する必要がある。
【０００４】
そして、特許文献１には、正面視略四角形の背フレームに背シートを取り付ける方法として、背フレームを下向きコ字状の上骨部材と上向き開口の下骨部材とに分離構成しておく一方、背シートの全周に形成された筒部のうち左右側部に上下の骨部材を挿通するための穴を空けておき、上下いずれか一方の骨部材を背シートに挿通してから他方の骨部材を挿通し、それから上下の骨部材を裏側から連結部材で連結する、という技術が開示されている。
【特許文献１】特開２００７−１１７５３７号公報
【発明の開示】
【発明が解決しようとする課題】
【０００５】
さて、椅子の背もたれにしても座にしても大きな荷重がかかるため背フレーム等のサポートフレームには高い強度が要求され、また、例えば背もたれの場合、デザイン上の要請から背面部に部材を配置できない場合もある。
【０００６】
しかるに、特許文献１は背フレームを下向きコ字状の上骨材と上向きコ字状の下骨座とに分離するもので、大きな荷重がかかる左右の縦長部材（サイドメンバー）を上下に分断するものであるため、背フレームとしての強度を確保するには裏側に連結部材（補強部材）を配置せねばならず、すると、裏側に部材を配置しないタイプの背もたれには適用できなくなる。この点、特許文献１の問題の一つある。
【０００７】
また、上骨材も下骨材も背シートの変形を利用して当該背シートに挿通することになるが、上骨材を背シートに挿通すると背シートは変形させにくくなるため、コ字状の下骨材を背シートの筒部に挿通するのが面倒であるという問題もある。
【０００８】
更に、背シートと骨部材との嵌め合わせは背シートの変形を利用して行われるため、嵌め込みを容易ならしめるためには筒部には余裕を持たせておくのが好ましいが、筒部に余裕を持たせておくと、背もたれとして組み立てた後に背シートに弛みが生じたり張りが緩くなったりする虞があり、取り付けの容易性と背シートの張りの確実性とが相反するという点も問題であった。
【０００９】
本願発明は、このような現状を改善することを課題として成されたものである。
【課題を解決するための手段】
【００１０】
本願発明は、椅子とその背もたれとを含んでいる。請求項１の発明は背もたれに係るもので、この背もたれは、ループ構造で前後に開口した背フレームと、前記背フレームに取り付けたネット状背シートとを備えており、前記背フレームは、その左右側部を構成する上下長手のサイドメンバーと上端部を構成する左右横長のアッパーメンバーと下端部を構成する左右横長のロアメンバーとの４つのメンバーから成っており、これら４つのメンバーのうち左右サイドメンバーとアッパーメンバーとは一体に繋がって略コ字状の一体連続部になっており、前記ロアメンバーは前記一体連続部とは別体で前記サイドメンバーの下端部間に位置している。
【００１１】
一方、前記背シートの外周部には、前記サイドメンバーが挿通される左右サイド筒部とアッパーメンバーが挿通されるアッパー筒部とロアメンバーが挿通されるロア筒部との４つの筒部が連続した状態に形成されており、前記ロア筒部に、前記背フレームを挿通するための取り付け穴が空いており、更に、前記ロアメンバーの左右両端に、前記サイドメンバーの下端面に重なるストッパー突起を設け、前記左右ストッパー突起を左右のサイドメンバーに固定している。
【００１２】
請求項２の発明は請求項１を具体化したもので、この発明では、前記左右サイドの下端面には、前記ストッパー突起が嵌まり込むストッパー凹所が形成されており、前記ストッパー突起がビスでストッパー凹所に固定されている。
【００１３】
請求項３の発明は椅子に係るもので、この椅子は、座と、請求項１又は２に記載した背もたれと、前記背もたれのロアメンバーに背シートのロア筒部を介して下方から重なる略水平姿勢の受けフレームとを備えており、前記ロアメンバーには受けフレームに嵌合する下向き開口の横長溝が形成されており、受けフレームで背シートのロア筒部を前記横長溝に押し込むことにより、背シートに上下方向のテンションが掛けられている。
【００１４】
【００１５】
【００１６】
なお、本願発明において「一体連続部」とは、背シートを取り付ける前の状態で一つの形態を成していることを意味しており、複数の部材で構成されていることを排除するものではない。従って、樹脂成形品やダイキャスト成形品のような全体が単一構造になっているものはもとより、複数の部材を溶接等によって固着した構造も含んでいる。
【発明の効果】
【００１７】
請求項１の発明では、背フレームに背シートを取り付けるには、先ず、サイドメンバーとアッパーメンバーとより成る一体連続部を背シートの筒部に取り付け穴から嵌め込み、次いで、ロアメンバーを背シートのロア筒部に挿入したら良い。そして、大きな荷重が掛かるサイドメンバーはその全長にわたって一体の構造であるため、特段の補強部材を要することなく背フレームは全体としての強度が確保されるのであり、その結果、強度に優れると共にデザインにもスッキリした背もたれを提供することが可能になる。
【００１８】
また、背シートに一体連続部を嵌め込んだ後は、背シートは、一体連続部によって形状が保持されることで変形しにくい状態になっているが、ロアメンバーは左右長手の形状（一文字状）であるため、背シートのロア筒部への嵌め込みを簡単に行える。従って、背もたれの組み立て作業も簡単に行える。
【００１９】
請求項２のようにストッパー突起とストッパー凹所とを嵌め合わせると、背フレームは堅牢な構造になる利点がある。
【００２０】
また、既述のとおり、背フレームを背シートの筒部に容易に挿通するには、背シートの筒部を少し余裕がある大きさに形成しておくのが好ましいが、請求項３の構成を採用すると、背もたれだけの状態では背シートがピンと張っていなくても、椅子として組み立てた後には背シートをピンと張った状態に保持することができ、このため、組み立て作業の容易性を損なったり部材点数の増大を招来したりすることなく、背もたれの背シートがピンと張った椅子を提供することができる。
【００２１】
【発明を実施するための最良の形態】
【００２２】
次に、本願発明の実施形態を図面に基づいて説明する。本願発明は会議や打ち合わせに多用される４本足方式の椅子に適用している。先ず、図１，２に基づいて全体の概要を説明し、次いで、詳細を説明する。
【００２３】
(1).概要
図１のうち（Ａ）は椅子の全体斜視図、（Ｂ）は図２の IB-IB視での座の断面図、図２は分離斜視図であり、これらの図から理解できるように、椅子は、左右２本の前足１と左右２の後足２、座３、背もたれ４を備えている。
【００２４】
左右の後足２はその上部において左右横長の受けフレーム５で連結されており、受けフレーム５と左右の前足１の上部とはそれぞれ平面視略Ｌ形のインナーフレーム６で連結されており、更に、左右のインナーフレーム６は、その前後長手部の前端部間と後端部間とが平板状のフロントステー７とリアステー８とで連結されている。左右インナーフレーム６には、リアステー８よりも手前側の部位に板材製の内向き片９を設けている。
【００２５】
図１（Ｂ）に示すように、座３は合板製の基板（座板）３ａにクッション３ｂを張った構造であり、基板３ａはフロントステー７と内向き片９とにビス１１で固定されている。基板３ａにはナット１２を離脱不能に取り付けている。
【００２６】
後足２の上端には、座３よりも上方に突出した背支柱１３が鉛直線に対してやや前傾した姿勢で連続しており、背支柱１３の上端は左右外側に広がった張り出し部１３ａを曲げ形成している。左右の前足１の上端には、座３の上方において緩く湾曲しつつ後方に延びる肘受け部１４が一体に連続しており、肘受け部１４の後端に背支柱１３の張り出し部１３ａが内側から突き当てられ、両者は溶接されている。各部材は溶接によって固着されている。肘受け部１４には、前後に長い肘当て１５を取り付けている。
【００２７】
また、肘受け部１４が一体に形成された前足１、背支柱１３が一体に形成された後足２、受けフレーム５、前後ステー７，８によって本体の骨組みが構成されている。各足１，２の下端にはキャスタを取り付けている。前後足１，２とインナーフレーム６は丸パイプで製造されている。
【００２８】
(2).背もたれの構造の概略
次に、図３も参照して背もたれ４の概略を説明する。図３のうち（Ａ）は背もたれ４を構成する部材の分離斜視図、（Ｂ）は（Ａ）のＢ−Ｂ視断面図である。この図３から理解できるように、背もたれ４は、樹脂製の背フレーム１７とこれに取り付けた背シート１８とから成っており、背フレーム１７は、上下長手の左右サイドメンバー１９と、サイドメンバー１９の上端に一体に連続したアッパーメンバー２０と、サイドメンバー１９とは別部材のロアメンバー２１とから成っている。左右サイドメンバー１９とアッパーメンバー２０とで請求項に記載した一体連続部が構成されており、ロアメンバー２１は独立メンバーになっている。
【００２９】
背シート１８は強靱な糸を素材として編むか又は織ることでネット状に構成されており、その左右両側部はサイドメンバー１９が嵌まるサイド筒部１８ａに形成され、上端部はアッパーメンバー２０が嵌まるアッパー筒部１８ｂに形成され、下端はロアメンバー２１が嵌まるロア筒部１８ｃに形成されている。敢えて述べるまでもないが、隣り合った筒部１８ａ，１８ｂ，１８ｃは互いに連通している。ロア筒部１８ｃのうち左右両端寄り部位の２箇所には、背フレーム１７を挿通可能な取り付け穴２２が前向きに開口している。
【００３０】
サイドメンバー１９は、鉛直線に対して下半部は前傾して上半部は後傾するように側面視で屈曲しており、また、アッパーメンバー２０とロアメンバー２１とは平面視で前向き凹状に緩く湾曲している。従って、背シート１８は、サイドメンバー１９の屈曲の頂点部において最も前に出ており、かつ、全体的に前向き凹状に湾曲している。
【００３１】
各筒部１８ａ，１８ｂ，１８ｃは立体編み（或いは立体織り）によってシームレス状態に形成されており、相手部材であるメンバー１９，２０，２１の形状に応じた正面視形態になっている。なお、筒部１８ａ，１８ｂ，１８ｃは逢着や溶着によって形成することも可能である。
【００３２】
(3).背もたれの詳細
更に、図４以下の図面も参照して背もたれ４の詳細を説明する。図４のうち（Ａ）は背フレーム１７のみの分離斜視図、（Ｂ）は背もたれ４の一部破断分離斜視図、図５は背シート１８を省略した状態での図２の V-V視箇所の断面図、図６のうち（Ａ）は図５のVIA-VIA 視断面図、（Ｂ）は図５のVIB-VIB 視断面図、（Ｃ）は組み立て後の状態を図４の VIC-VIC視方向から見た断面図、図７のうち（Ａ）は図２の VIIA-VIIA視断面図、（Ｂ）は図１の VIIB-VIIB視断面図、図８は図１の VIII-VIII視断面図、図９は背もたれ４の取り付け構造を示す分離平面図である。
【００３３】
図５や図７から理解できるように、背フレーム１７を構成するサイドメンバー１９は内側に行く程前後厚さが薄くなるように塀断面略山形の形態になっており、かつ、前面は背もたれ４の縦長中心線に向かって緩く傾斜している。そして、図５や図７に示すように、サイドメンバー１９のうち前傾姿勢の下半部には背支柱１３に内側から嵌まり込む略半円状の縦溝２３が形成されている。従って、サイドメンバー１９を背支柱１３に嵌め込むと、背シート１８のサイド筒部１８ａは縦溝２３の内部に押し込められ、このため、背シート１８は背支柱１３の箇所において左右方向のテンションが掛けられる。
【００３４】
背中シート１８のうち、背支柱１３に重なる部分とロアメンバー２１に重なる部分とを除いた部分は、例えばホットメルト接着剤のような接着剤によって背フレーム１７に接着されている。このため、背シート１８が背フレーム１７の表面でずれ動いて美観が悪化するような不都合は生じない。背シート１８の固着手段としては、溶着のような他の方法も採用可能である。また、背フレーム１７の前面のみや後面のみのように表面の一部に固定することも可能である。
【００３５】
背もたれ４を下向きにずらし移動させることにより、サイドメンバー１９を背支柱１３に嵌め込むが、背支柱１３の上端には外向き張り出し部１３ａが形成されているため、外向き張り出し部１３ａがガイドの役割を果たして、嵌め込みがスムースに行われる。
【００３６】
背フレーム１７のサイドメンバー１９は、肘受け部１４の後端に溶接によって固着した上ブラケット２４にビス（ボルト）２５で固定されている。図８及び図９に示すように、サイドメンバー１９には、上ブラケット２４が後ろから入り込む凹部２６と、凹部２６に連通した前後開口のビス穴２７と、ビス穴２７に連通した前向き開口のナット保持穴２９とが形成されており、ナット保持穴２８に回転不能に嵌め込んだ六角ナット２９にビス２５がねじ込まれている。
【００３７】
なお、ナット２９は、背シート１８を取り付ける前にナット保持穴２８に嵌め入れられている。上ブラケット２４はエンドキャップ３０で覆われており、エンドキャップ２４は肘受け部１４に後ろから嵌め込み装着されており、肘当て１５によって抜け不能に保持されている。
【００３８】
例えば図６（Ｂ）（Ｃ）に示すように、ロアメンバー２１は上に行くに従って前後厚さが小さくなる略山形に形成されており、下端面には受けフレーム５に嵌まる略半円状の横長溝３２が形成されている。また、サイドメンバー１９の下端にも受けフレーム５が嵌まる下溝３３が形成されており、従って、サイドメンバー１９の下溝３３とロアメンバー２１の横長溝３２とは一連に繋がっている。また、サイドメンバー１９の下端には、ロアメンバー２１と同じ側断面形状の重合部１９ａが僅かだけ内向き突出した状態に形成されている。
【００３９】
そして、例えば図５及び図６（Ａ）に示すように、ロアメンバー２１の左右両端面には、受けフレーム５に上方から重なると共にサイドメンバー１９の重合部１９ａに入り込む平面視略山形のストッパー突起３４が形成されている一方、サイドメンバー１９の下溝３３の上内面には、ストッパー突起３４がきっちり嵌まり込む下向きのストッパー凹所３５が形成されており、そして、ストッパー突起３４をビス３６でストッパー凹所３５に固定している。従って、ロアメンバー２１とサイドメンバー１９との姿勢と位置が一定に保持され、かつ、背フレーム１７は全体の形態が保持されている。敢えて述べるまでもないが、ストッパー突起３４にはねじ穴３７が空いている。
【００４０】
図２〜４に示すように、ロアメンバー２１には、インナーフレーム６との干渉を回避するための略半円状の逃がし溝３８が形成されている。そして、逃がし溝３８の僅かに内側に、リアステー８に上方から重なる左右一対の下ブラケット３９を一体に形成し、リアステー８と下ブラケット３９とをビス４０で締結している。ビス４０はタッピンねじを使用しており、リアステー８に下方から挿通して下ブラケット３９にねじ込んでいるが、ナットを使用して締結することも可能である。図４（Ｂ）に部分的に示すように、下ブラケット３９は背シート１８の取り付け穴２２から外側に露出させている。
【００４１】
(4).まとめ
以上の構成において、背もたれ４を組み立てるには、例えば図３に一点鎖線で示すように、先ず、サイドメンバー１９とアッパーメンバー２０とが一体化した一体連続部の端部を背シート１８のいずれか一方の取り付け穴２２に挿入し、背シート１８と一体連続部とを相対動させることにより、一体連続部を所定の姿勢で背シート１８に嵌め込む。
【００４２】
次いで、ロアメンバー２１をいずれか一方の取り付け穴２２からロア筒部１８ｃに挿入し、ロア筒部１８ｃを大きく引き伸ばすことにより、ロアメンバー２１をロア筒部１８ｃの内部に嵌め込み、ロアメンバー２１をサイドメンバー１９にビス３６で締結する。これによって背フレーム１７は所定の形態に保持される。ロアメンバー２１の逃がし溝３８と下ブラケット３９とは取り付け穴２２から露出させておく。
【００４３】
それから、背もたれ４を下向きにずらすことで、サイドメンバー１９の縦溝２３を背支柱１３に嵌め込むと共に、ロアメンバー２１を受けフレーム５に嵌め込み、その状態でサイドメンバー１９を上ブラケット２４にビス２５で締結すると共に、ロアメンバー２１の下ブラケット３９をリアステー６にビス４０で締結する。これにより、背もたれ４の取り付けが完了する。
【００４４】
また、背フレーム１７が上ブラケット２４に締結されているため、背もたれ４は上向き離脱不能に保持されている。更に、ロアメンバー２１はリアステー８にビス４０で締結されているため、背フレーム１７はその下端においても前後ずれ不能に保持されており、これにより、一層の強度アップが図られていると共に、ロアメンバー２１が受けフレーム５に嵌まった状態で保持されて、背シート１８に上下方向のテンションを掛けることが確実ならしめられている。
【００４５】
サイドメンバ１９とロアメイバー２１とを固定する手段としては、水平状のビスをサイドメンバー１９に外側から貫通させてこれをロアメンバー２１にねじ込むと言ったことも可能であるが、本実施形態のように、ロアメンバー２１の端部に設けたストッパー突起３４をサイドメンバー１９の下端のストッパー凹所３５に嵌合させると、ストッパー突起３４とストッパー凹所３５とが嵌まり合うことで背フレーム１７は堅牢な構造になる利点がある。
【００４６】
(5).その他
本願発明は上記の実施形態の他にも様々に具体化できる。例えば、本願発明を適用できる椅子には限定はなく、例えばガスシリンダよりなる脚を有する回転椅子にも適用できる。背フレームのサイドメンバーを背支柱にビスで固定したり、ロアメンバーを受けフレームにビスで固定したりすることも可能である。
【００４７】
背フレーム等のサポートフレームに溝を形成して、この溝に背支柱や受けフレームのような本体側の部材を嵌め込むことによってサポートシートにテンションを掛けることは、それ自体として独立した請求項たり得るものである（背シート又は座シートの全体を袋状に構成したものや、溶着等によってサポートフレームに固定したものにも適用できる。）
。
【００４８】
更に、テンション付与手段としては、背支柱のような強度メンバーを溝に嵌め込むことに代えて、エッジ材をサポートフレームの溝に嵌め込んでビス等で固定しても良いのであり、更に、テンション付与用溝は、例えば背フレームの場合であると前面や後面に形成するというように、外周面でない箇所に形成することも可能である。
【００４９】
対象になる椅子は図示形態のような４本足方式に限定されるもではなく、例えば左右の脚フレームを側面視で横向きコ字状に形成している椅子や、左右の脚フレームを側面視で口字状（或いは台形状）に形成している椅子、或いは、脚支柱をガスシリンダで構成している回転椅子など、様々の形態の椅子に適用できる。敢えて述べるまでもないが、パイプ椅子の場合、その複数個を前後方向に嵌めたり上下に積み重ねたりすることが可能である。
【図面の簡単な説明】
【００５０】
【図１】（Ａ）は椅子の全体斜視図、（Ｂ）は図２の IB-IB視での座の断面図である。
【図２】椅子の分離斜視図である。
【図３】（Ａ）は背もたれの分離斜視図、（Ｂ）は（Ａ）のＢ−Ｂ視断面図である。
【図４】（Ａ）は背フレーム１７のみの分離斜視図、（Ｂ）は背もたれ４の一部破断分離斜視図である。
【図５】背シートを省略した状態での図２の V-V視箇所の断面図である。
【図６】（Ａ）は図５のVIA-VIA 視断面図、（Ｂ）は図５のVIB-VIB 視断面図、（Ｃ）は組み立て後の椅子を図４の VIC-VIC視方向から見た断面図である。
【図７】（Ａ）は図２の VIIA-VIIA視断面図、（Ｂ）は図１の VIIB-VIIB視断面図である。
【図８】図１の VIII-VIII視断面図である。
【図９】背もたれの取り付け構造を示す分離平面図である。
【符号の説明】
【００５１】
１  前足
２  後足
３  座
４  背もたれ
５  受けフレーム
１７  背フレーム
１８  背シート
１９  背フレームのサイドメンバー
２０  背フレームのアッパーメンバー
２１  背フレームのロアメンバー
２２  取り付け穴
２３  サイドメンバーの縦溝
２４  上ブラケット
３２  横長溝
３４  ストッパー突起
３５  ストッパー凹所
３６  ビス
【図４】
0005096999.tif 000002
【図１】
0005096999.tif 000003
【図２】
0005096999.tif 000004
【図３】
0005096999.tif 000005
【図５】
0005096999.tif 000006
【図６】
0005096999.tif 000007
【図７】
0005096999.tif 000008
【図８】
0005096999.tif 000009
【図９】
0005096999.tif 000010